(57)【要約】【課題】ケーブルを接続するためのコネクタ及びその製造方法に関し、高速信号を処理でき、かつ、組付性を向上できるコネクタ及びその製造方法を提供することを目的とする。【解決手段】本発明は、複数のコンタクトが配列されたコネクタにおいて、複数のコンタクトを構成する一群のコンタクトが取り付けられたモジュールを複数組、組み付けることにより構成されたことを特徴とする。【選択図】  図４
2005032518.tif 000002
【特許請求の範囲】
【請求項１】
複数のコンタクトが配列されたコネクタにおいて、
前記複数のコンタクトを構成する一群のコンタクトが取り付けられ、かつ、ワイヤが半田付けされたモジュールを複数組、組み付けることにより構成されたことを特徴とするコネクタ。
【請求項２】
前記コンタクトは、半田付け部を有し、
該半田付け部が前記複数のモジュールに分割された状態で前記ケーブルとの半田付けが可能となるように配置されたことを特徴とする請求項１記載のコネクタ。
【請求項３】
前記半田付け部は、凹状に成形されたことを特徴とする請求項１又は２記載のコネクタ。
【請求項４】
前記コンタクトのうち接地用コンタクトの半田付け部は、穴状又はスリット状に成形されたことを特徴とする請求項１乃至３のいずれか一項記載のコネクタ。
【請求項５】
前記複数のモジュールが組み合わされた組立体を収納するケースを有することを特徴とする請求項１乃至４のいずれか一項記載のコネクタ。
【請求項６】
前記コンタクト群は、一対の信号用コンタクトと、
他の信号用コンタクト対の間に配置された接地用コンタクトとを所定の方向に配列した構成とされたことを特徴とする請求項１乃至５のいずれか一項記載のコネクタ。
【請求項７】
所定の方向にコンタクトが配列されたモジュールの各コンタクトの半田付け部にワイヤを半田付けする半田付工程と、
前記ワイヤが前記コンタクトに半田付けされた複数のモジュールを係合させ、一のコネクタを組み立てる組立工程とを有することを特徴とするコネクタの製造方法。
【請求項８】
前記複数のモジュールを係合させることにより組み立てられた組立体をケースに収納する収納工程を有することを特徴とする請求項７記載のコネクタの製造方法。
【発明の詳細な説明】
【０００１】
【発明の属する技術分野】
本発明はコネクタ及びその製造方法に係り、特に、ケーブルを接続するためのコネクタ及びその製造方法に関する。
【０００２】
【従来の技術】
近年、伝送信号の高速化に伴い、信号を送信する際、送信すべき信号とその反転信号を別々のラインで伝送し、その差動出力により信号を再現することにより、信号の振幅を極力微小化して、高速化に対応している。
【０００３】
このとき、多数の信号を伝送する場合、一つの信号に対して２本の信号線を用いるため、信号線の本数が多くなり、これにともない、コネクタ装置のコンタクトの数が増加している。
【０００４】
従来の多数の信号を伝送する際に用いられるコネクタ装置として、分割された複数のコネクタモジュールをスナップ結合して組み立てるコネクタ装置が提案されていた（特許文献１参照）。
【０００５】
また、複数のコネクタモジュールを滑動させ、ラッチ及び切欠きにより結合して一体化するコネクタ装置が提案されていた（特許文献２参照）。
【０００６】
【特許文献１】
特開平１１−１６２５５６号公報（段落番号〔００１４〕、図１９、図２２）
【特許文献２】
特開昭５６−１６７２８２号公報（第３頁、左下欄第１０行〜１４行、第２図）
【発明が解決しようとする課題】
しかるに、従来のコネクタ装置では、いずれも、ケーブルのワイヤをコネクタのコンタクトに圧入、あるいは、かしめることにより接続されていたため、高速化に対応できなかった。
【０００７】
本発明は上記の点に鑑みてなされたもので、高速信号を処理でき、かつ、組付性を向上できるコネクタ及びその製造方法を提供することを目的とする。
【０００８】
【課題を解決するための手段】
本発明は、複数のコンタクトが配列されたコネクタにおいて、複数のコンタクトを構成する一群のコンタクトが取り付けられ、ワイヤが半田付けされたモジュールを複数組、組み付けることにより構成されたことを特徴とする。
【０００９】
本発明によれば、コネクタを構成する複数のコンタクトを一群のコンタクト毎にモジュールに分割することにより、モジュールを分割し、半田付けが容易な状態でコンタクトにワイヤなどを半田付けした後に、モジュールを組み付け、複数のコンタクトが配列されたコネクタを構成することにより、コンタクトにワイヤを容易に半田付けすることが可能となり、コネクタの組立性を向上させることが可能となる。
【００１０】
【発明の実施の形態】
〔概略構成〕
図１は本発明の一実施例の斜視図を示す。なお、同図中、矢印Ｘ１、Ｘ２及び矢印Ｙ１、Ｙ２並びに矢印Ｚ１、Ｚ２は互いに直交する方向を示している。
【００１１】
本実施例のコネクタ装置１は、ケーブルコネクタ１１とピンコネクタ１２とから構成されている。ケーブルコネクタ１１は背面側にケーブル２１が半田付けされ、正面側にピンコネクタ１２が装着され、ケーブル２１とピンコネクタ１２とを接続するためのコネクタである。ピンコネクタ１２は、コネクタ本体３１に信号ピン３２、及び、接地板３３が植設された構成とされている。信号ピン３２は、ケーブルコネクタ１１の正面、矢印Ｙ１方向の面に開口された信号ピン挿入口４１に挿入される。また、接地板３３は、ケーブルコネクタ１１の正面、矢印Ｙ１方向の面に開口されたスリット４２に挿入される。また、ピンコネクタ１２の矢印Ｙ１方向端面の矢印Ｚ２方向端部には、ケーブルコネクタ１１を係止するための係合部３４が形成されている。
〔ケーブルコネクタ１１〕
次にケーブルコネクタ１１について詳細に説明する。
【００１２】
図２はケーブルコネクタ１１の斜視図、図３はケーブルコネクタ１１の分解斜視図を示す。
【００１３】
ケーブルコネクタ１１は、ケーブルコネクタ本体５１、ケース５２、カバー５３、係止レバー５４から構成される。
【００１４】
図４はコネクタ本体５１の斜視図を示す。
【００１５】
コネクタ本体５１は、３つのモジュール６１、６２、６３を組み合わせ、合体した構成とされている。
〔モジュール６１〕
図５、図６はモジュール６１の斜視図、図７はモジュール６１の断面図を示す。なお、図７（Ａ）は横断面図、図７（Ｂ）は縦断面図を示す。
【００１６】
モジュール６１は、モジュール本体７１と、信号用コンタクト７２、７３、接地用コンタクト７４から構成される。
【００１７】
モジュール本体７１は、絶縁材をモールド加工により成形して構成されており、コネクタ挿入部８１及びモジュール固定部８２から構成されている。コネクタ挿入部８１は、ピンコネクタ１２が挿入される部分であり、ピンコネクタ１２の信号ピン３２が挿入される信号ピン挿入穴部９１、９２、及び、接地板３３が挿入されるスリット９３が形成されている。信号ピン挿入穴口９１、９２は、図１、図４に示す信号ピン挿入口４１に相当しており、矢印Ｙ１方向に延在する。また、スリット９３は、矢印Ｘ１、Ｘ２方向と矢印Ｙ１、Ｙ２方向により形成される面に平行に形成されている。
【００１８】
信号ピン挿入口９１は、モジュール本体７１を矢印Ｙ１、Ｙ２方向に貫通して形成されたコンタクト挿入部９４に連通している。コンタクト挿入部９４には、信号用コンタクト７２が圧入される。信号用コンタクト７２は、コンタクト挿入部９４に圧入されてモジュール６１に固定される。
【００１９】
信号ピン挿入口９２は、モジュール本体７１を矢印Ｙ１、Ｙ２方向に貫通して形成されたコンタクト挿入部９５に連通している。コンタクト挿入部９５には、信号用コンタクト７３が圧入される。信号用コンタクト７３は、コンタクト挿入部９５に圧入されてモジュール６１に固定される。
【００２０】
また、スリット９３は、モジュール６１を矢印Ｙ１、Ｙ２方向に貫通する接地コンタクト挿入部９６に連通している。接地コンタクト挿入部９６には、接地用コンタクト９４が圧入される。接地用コンタクト７４は、接地コンタクト挿入部９６に圧入されて、モジュール６１に固定される。
【００２１】
モジュール固定部８２は、モジュール６２との接続を行うためのものであり、図６に示すようにモジュール６２と対向する矢印Ｘ２方向側の面に楔状の凸部１０１が形成されている。凸部１０１は、矢印Ｚ１、Ｚ２方向から見た端面形状が略楔状とされており、モジュール６１の矢印Ｚ１方向端部から長さｈ１だけ矢印Ｚ２方向に変移した位置から矢印Ｚ２方向に長さｈ２に渡って形成されている。また、凸部１０１は、モジュール６１の矢印Ｙ２方向の端部から長さＬ１だけ変移した位置からピッチｐ１で矢印Ｙ１方向に５列に亘って形成されている。さらに、凸部１０１は、矢印Ｘ２方向の高さがＨ０、付け根側の幅がｗ１、先端側の幅がｗ２＞ｗ１に設定されている。この凸部１０１にモジュール６２が結合することによりモジュール６１とモジュール６２との結合が行われる。
【００２２】
また、モジュール固定部８２の矢印Ｚ１方向及び矢印Ｚ２方向端面の矢印Ｙ１方向には、凹部１０２が形成されている。凹部１０２により、モジュール６１がケース５２に位置決めされる。
【００２３】
次に信号用コンタクト７２の構成を説明する。
【００２４】
図８は信号用コンタクト７２の斜視図を示す。
【００２５】
信号用コンタクト７２は、接触部１２１、圧入部１２２、半田付け部１２３から構成されている。接触部１２１は、二股に分割されており、先端に内側、矢印Ｚ１、Ｚ２方向に突出した突出部１３１が形成されている。突出部１３１の矢印Ｚ１、Ｚ２方向の間隔ｄは、ピンコネクタ１２のピン３２の幅より小さく形成されている。ピンコネクタ１２のピン３２は、突出部１３１の間に挿入される。このとき、ピンコネクタ１２のピン３２により接触部１２１が矢印Ｚ１、Ｚ２方向に弾性的に開くことによりピンコネクタ１２のピン３２が突出部１３１により挟持され、信号用コンタクト７２との接触が行われる。
【００２６】
圧入部１２２には、側面形状が略長方形をなし、折曲部１４１、１４２が形成されている。折曲部１４１は、矢印Ｙ２方向端部が、矢印Ｘ２方向に折曲された構成とされており、信号用コンタクト７２がコンタクト挿入部９４に矢印Ｙ２方向側から矢印Ｙ１方向に挿入されたときに、コンタクト挿入部９４の側壁を押圧して、矢印Ｙ２方向の端部のエッジがコンタクト挿入部９４の側壁に引っ掛かる。折曲部１４１により、信号用コンタクト７２の矢印Ｙ２方向への抜けを防止できる。
【００２７】
また、折曲部１４２は、矢印Ｚ１方向端部が矢印Ｘ２方向に開かれた構成とされており、信号用コンタクト７２がコンタクト挿入部９４に矢印Ｙ２方向側から矢印Ｙ１方向に挿入されたときに、モジュール本体７１の矢印Ｙ２方向の端面に突き当たり、信号用コンタクト７２がコンタクト挿入部９４への矢印Ｙ１方向への挿入を規制する。
【００２８】
折曲部１４１、１４２により信号用コンタクト７２がモジュール本体７１に確実に挿入、位置決めされ、固定される。
【００２９】
半田付け部１２３は、圧入部１２２の矢印Ｙ２方向の端部から矢印Ｘ２方向に折曲された後、矢印Ｙ２方向に折曲されることにより、矢印Ｘ２方向に平行移動して設けられている。半田付け部１２３は、矢印Ｘ２方向に凹状に湾曲しており、矢印Ｘ１方向から半田付けを行った際に半田が垂れるにくく、半田付けしやすい形状とされている。
【００３０】
なお、信号用コンタクト７３は、信号用コンタクト７２と同様な構成であり、モジュール本体７１への圧入時の矢印Ｚ１、Ｚ２方向の位置関係が反対となる。
【００３１】
次に接地用コンタクト７４について説明する。
【００３２】
図９は接地用コンタクト７４の斜視図を示す。
【００３３】
接地用コンタクト７４は、スリット装着部１５１、圧入部１５２、延出部１５３から構成されている。
【００３４】
スリット装着部１５１は、スリット９３に係合する部分であり、両脇に接触部１６１が形成されている。接触部１６１は、矢印Ｙ２方向がスリット装着部１５１から外方、矢印Ｘ１、Ｘ２方向に延出して形成されており、スリット９３より外方、矢印Ｘ１、Ｘ２方向に延出する。これによって、ピンコネクタ１２が装着されたときに、ピンコネクタ１２の接地板３３に接触可能となる。
【００３５】
圧入部１５２は、その平面形状が略長方形状とされており、接地コンタクト挿入部９６に圧入される。延出部１５３は、圧入部１５２の矢印Ｙ２方向の端部形成されており、矢印Ｘ１方向の端部が矢印Ｚ１方向に折曲された折曲部１７１が形成される。なお、このとき、折曲部１７１は、矢印Ｘ１方向に湾曲するように折曲される。
【００３６】
次に、接地用コンタクト７４のモジュール本体７１への取付方法について説明する。
【００３７】
接地用コンタクト７４は、まず、矢印Ｙ２方向側端部がスリット９３から接地コンタクト挿入部９６に挿入される。なお、このとき、延出部１５３の折曲部１７１は、図９に破線で示すように折曲されておらず、圧入部１５２に対して平面となるように成形されている。これによって、延出部１５３がスリット９３を介して接地コンタクト挿入部９６に挿入可能となる。
【００３８】
接地用コンタクト７４が接地コンタクト挿入部９６に挿入され、スリット装着部１５１が接地コンタクト挿入部９６の矢印Ｙ１方向の端部に達すると、スリット装着部１５１の接触部１６１の基部に設けられた段部１６２が接地コンタクト挿入部９６の周辺部に当接する。段部１６２が接地コンタクト挿入部９６の周辺部に当接することにより接地コンタクト７４がモジュール本体７１に位置決めされるとともに、接地コンタクト７４が矢印Ｙ２方向に抜けることを防止できる。
【００３９】
接地コンタクト７４がモジュール本体７１に位置決めされた後、延出部１５３の折曲部１７１を矢印Ｚ１方向に折曲させることにより、折曲部１７１の矢印Ｙ１方向の端部がモジュール本体７１の矢印Ｙ２方向の端面に当接する。折曲部１７１の矢印Ｙ１方向の端部がモジュール本体７１の矢印Ｙ２方向の端面に当接することにより、接地用コンタクト７４が矢印Ｙ１方向に抜けることを防止できる。なお、このとき、折曲部１７１は、矢印Ｘ１方向に湾曲するように折曲されることにより、矢印Ｘ１方向から半田付けを行った際に半田が垂れるにくく、半田付けしやすい形状とされている。
【００４０】
なお、本実施例では、延出部１５３に折曲部１７１を設け、半田付けを容易にしたが、Ｕ字スリット状あるいは穴状としてもよい。
【００４１】
図１０は接地コンタクト７４の変形例の斜視図を示す。同図中、図９と同一構成部分には同一符号を付し、その説明は省略する。図１０（Ａ）は延出部１５３にＵ字状スリット１８１を設けた構成、図１０（Ｂ）は延出部１５３に穴部１９１を設けた構成を示す。
【００４２】
接地コンタクト７４は、信号用コンタクト７２、７３に比べて矢印Ｘ１、Ｘ２方向の幅Ｄが広いので、半田が垂れにくい。このため、図１０（Ａ）、図１０（Ｂ）に示すようにＵ字状スリット１８１又は穴部１９１を形成し、ワイヤを絡め易い構成することにより、Ｕ字状スリット１８１又は穴部１９１にワイヤを絡めた状態で半田付けを行うことができるため、半田付けを容易することができる。
【００４３】
図１１は信号用コンタクト７２、７３及び接地コンタクト７４の半田付け時の動作を説明するための図を示す。
【００４４】
図１１に示すように信号線２０１のワイヤ２１１は、信号用コンタクト７２の半田付け部１２３の凹部に位置決めされ、半田付けされる。また、信号線２０２のワイヤ２１２は、信号用コンタクト７３の半田付け部１２３の凹部に位置決めされ、半田付けされる。接地線２０３は、接地用コンタクト７４の折曲部１７１の凹部に位置決めされ、半田付けされる。
【００４５】
このとき、信号線２０１のワイヤ２１１が半田付けされる半田付け部１２３及び信号線２０２のワイヤ２１２が半田付けされる半田付け部１２３並び接地線２０３が半田付けされる折曲部１７１は、半田付けが行われる方向で重なることがないので、半田付けが容易に行える。
〔モジュール６２〕
図１２、図１３はモジュール６２の斜視図を示す。同図中、図５、図６と同一構成部分には同一符号を付し、その説明は省略する。
【００４６】
モジュール６２は、モジュール６１に対向する側、矢印Ｘ１方向側の面に凹部２２１が形成され、モジュール６３に対向する側、矢印Ｘ２方向側の面に凸部２２２が形成されている。
【００４７】
凹部２２１は、モジュール６１に対向する側、矢印Ｘ１方向側の略前面に渡って形成されており、モジュール６１の凸部１０１と対向する部分が凸部１０１と係合する形状に形成されている。
【００４８】
凹部２２１の凸部１０１と係合する部分の形状は、矢印Ｚ１、Ｚ２方向から見た端面形状が凸部１０１に対応する略台形状に形成されている。このように、凸部１０１と凹部２２１を矢印Ｚ１、Ｚ２方向の一部に形成することにより、モジュール６１又はモジュール６２を凸部１０１及び凹部２２１の高さｈ２程度ずらして、矢印Ｚ１又は矢印Ｚ２方向にスライドさせることにより、モジュール６１の凹部１０１とモジュール６２とを係合させることが可能となる。
【００４９】
なお、凸部２２２は、モジュール６１の凸部１０１と同じ配置で形成されている。
〔モジュール６３〕
図１４、図１５はモジュール６３の斜視図を示す。同図中、図１２、図１３と同一構成部分には同一符号を付し、その説明は省略する。
【００５０】
モジュール６３は、モジュール６２と対向する面、矢印Ｘ１方向の面に凹部２２１が形成されている。モジュール６３の凹部２２２は、モジュール６２の矢印Ｘ２方向の面に形成された凸部１０１と係合する。
〔モジュール６１、６２、６３の組立〕
モジュール６１、６２、６３は、信号用コンタクト７２、７３及び接地用コンタクト７４にケーブル２１のワイヤが半田付けされた後、組み付けられる。
【００５１】
なお、モジュール６１、６２、６３の凸部１０１と凹部２２１とを組み合わせることにより、モジュール６１、６２、６３の各コネクタ挿入部４２の間にピンコネクタ１２の接地板３３が挿入されるスリット４２が形成される。
【００５２】
また、本実施例では、モジュール６１、６２、６３に形成される凸部１０１及び凹部２２１は、矢印Ｚ１、Ｚ２方向の一部に形成されたが、矢印Ｚ１、Ｚ２方向に沿って連続して設けるようにしてもよい。モジュール６１、６２、６３に形成される凸部１０１及び凹部２２１を矢印Ｚ１、Ｚ２方向に沿って連続して設けることによりモジュール６１、６２、６３のモジュール固定部８２の略側面全面でモジュール６１、６２、６３を結合することができるため、モジュール６１、６２、６３間の結合強度を向上できる。
【００５３】
モジュール６１、６２、６３の組立体であるケーブルコネクタ本体５１は、ケーブル２１が接続された状態で、ケース５２に収納される。
〔ケース５２／カバー５３／係止レバー５４〕
図１６、図１７はケース５２、カバー５３、係止レバー５４の組立斜視図、図１８、図１９はケース５２、カバー５３、係止レバー５４の分解斜視図を示す。
【００５４】
ケース５２は、モジュール収納部２３１、ケーブル挿入部２３２、カバー係合部２３３、係止機構２３４から構成されている。ケース５２はその断面形状が略凹状に形成されており、モジュール収納部２３１はケース５２の矢印Ｙ１方向の領域に設けられている。モジュール収納部２３１には、ケーブルコネクタ本体５１が収納される。
【００５５】
ケーブルコネクタ本体５１は、凹部１０２がケース５２の矢印Ｙ１方向の周縁部の内周側に形成された凸部２４１に嵌合し、矢印Ｙ２方向の端部がケース５２の内周側に突出した凸部２４２に嵌合することにより、ケース５２内に位置決めされる。
【００５６】
ケーブルコネクタ本体５１に半田付けされたケーブル２１は、ケーブル挿入部２３２を通してケース５２の矢印Ｙ２方向の開口部２４３から外部に延出される。カバー係合部２３３は、ケース５２の左右側面、矢印Ｘ１方向側面及び矢印Ｘ２方向側面の各々２箇所に設けられている。カバー係合部２３３には、カバー５３が係合する。
【００５７】
カバー５３には、ケース５２のカバー係合部２３３に対応する位置に係合部２５１が形成されている。係合部２５１は、カバー５３の矢印Ｘ１、Ｘ２方向の側端部から矢印Ｚ２方向に延出している。係合部２５１には、その先端に爪部２５２が形成されている。係合部２５１は、ケース５２の外側からケース５２の係合部２３３に沿って係合し、爪部２５２がケース５２のカバー係合部２３３の矢印Ｚ２方向端部に形成された凹部２４４に係合し、カバー５３がケース５２に係止される。また、カバー５３には、矢印Ｘ２方向の端部から矢印Ｘ２方向に延出してガイド部２５３が形成されている。ガイド部２５３は、ケース５２の係止機構２３４を矢印Ｚ１方向から閉蓋する。係止レバー５４は、ケース５２の係止機構２３４に装着され、カバー５３のガイド部２５３によりケース５２に、矢印Ｙ１、Ｙ２方向に摺動可能に取り付けられる。
【００５８】
係止機構２３４には、ケース５２の矢印Ｘ１方向の側面に係止レバー５４が装着される。係止機構２３４は、コネクタ係止部２６１、突起部２６２、ガイド部２６３から構成されている。コネクタ係止部２６１は、ピンコネクタ１２に係合し、ピンコネクタ１２をケーブルコネクタ１１に係止する。
【００５９】
図２０はピンコネクタ１２の斜視図を示す。
【００６０】
ピンコネクタ１２には、コネクタ係止部２６１に係合する係合部３４が形成されている。係合部３４は、矢印Ｚ２方向端面の矢印Ｙ２方向端部に矢印Ｘ１、Ｘ２方向に延在するように形成されている。コネクタ係止部２６１は、ピンコネクタ１２をケーブルコネクタ１１に装着したときに、この係合部３４と係合する。
【００６１】
コネクタ係止部２６１は、係止レバー５４の操作によりピンコネクタ１２との係合が解除される。係止レバー５４は、爪部２７１、規制部２７２、ガイド部２７３、操作部２７４から構成されている。
【００６２】
図２１は係止レバー５４と係止機構２３４との係合状態を示す図である。
【００６３】
係止レバー５４は、ケース５２の係止機構２３４のガイド部２６３に矢印Ｚ１方向から係合される。このとき、爪部２７１は、矢印Ｘ１方向に厚さｈ１１程度凹んだ凹部により形成されており、凹部の矢印Ｙ１方向に傾斜面２７１ａを有する。また、爪部２７１と係合する係止機構２３４の突起部２６２は、矢印Ｘ１方向に厚さｈ１１程度突出した突起部２６２を有する。突起部２６２には、矢印Ｙ１方向に傾斜面２６２ａを有する。係止レバー５４は、図２０（Ｂ）に示すようにその爪部２７１の傾斜面２７１ａが突起部２６２の傾斜面２６２ａに当接するように係止機構２３４に装着される。係止レバー５４が係止機構２３４に装着された後、カバー５３をケース５２に取り付けることにより、係止レバー５４が係止機構２３４に矢印Ｙ１、Ｙ２方向に摺動可能に取り付けられる。
【００６４】
また、ケーブルコネクタ１１の信号ピン挿入穴４１にピンコネクタ１２の信号ピン３３を挿入し、ケーブルコネクタ１１のスリット４２にピンコネクタ１２の接地板３３を係合させた状態で、ケーブルコネクタ１１を矢印Ｙ１方向に押圧させると、ピンコネクタ１２の信号ピン３２とケーブルコネクタ１１の信号用コンタクト７２、７３とが接続され、かつ、ピンコネクタ１２の接地板３３とケーブルコネクタ１１の接地用コンタクト７４とが接続される。
【００６５】
このとき、ケーブルコネクタ１１のコネクタ係止部２６１がピンコネクタ１２の係合部３４に当接し、矢印Ｚ２方向に弾性変形し、ケーブルコネクタ１１のピンコネクタ１２への装着が完了すると、ケーブルコネクタ１１のコネクタ係止部２６１がピンコネクタ１２の係合部３４を乗り越えて、弾性変形状態が復元する。これによって、ケーブルコネクタ１１のコネクタ係止部２６１とピンコネクタ１２の係合部３４とが係合し、ケーブルコネクタ１１の矢印Ｙ２方向への移動が規制される。
【００６６】
ピンコネクタ１２からケーブルコネクタ１１を取り外すときには、ケーブルコネクタ１１に設けられた係止レバー５４を矢印Ｙ２方向に移動させる。係止レバー５４を矢印Ｙ２方向に移動させると、係止レバー５４の爪部２７１がコネクタ係止部２６１に設けられた突起部２６２の斜面２６２ａに乗り上げ、コネクタ係止部２６１を矢印Ｚ２方向に弾性的に変移させる。
【００６７】
係止レバー５４が矢印Ｙ２方向に移動され、係止レバー５４に設けられた規制部２７２がカバー５３のガイド部２５３の矢印Ｙ１方向端面に突き当たると、係止レバー５４の移動が停止される。このとき、係止レバー５４の爪部２７１は、図２１（Ａ）に示すように完全に突起部２６２に乗り上げて、コネクタ係止部２６１を矢印Ｚ２方向に突起部２６２の高さｈ１１程度変移させる。コネクタ係止部２６１が矢印Ｚ２方向に高さｈ１１程度変移することによって、コネクタ係止部２６１がピンコネクタ１２の係合部３４との係合が解除される。コネクタ係止部２６１がピンコネクタ１２の係合部３４との係合が解除されることにより、ケーブルコネクタ１１が矢印Ｙ２方向に移動可能となり、ケーブルコネクタ１１をピンコネクタ１２から取り外すことが可能となる。
〔コネクタ装置１のシールド性〕
図２２は信号用コンタクト７２、７３のシールド状態を説明するための図を示す。
【００６８】
本実施例では、ケーブルコネクタ１１がピンコネクタ１２に装着された状態では、ケーブルコネクタ１１の接地用コンタクト７４及びピンコネクタ１２の接地板３３とが接続され、信号用コンタクト７２、７３が図２２に示すようにケーブルコネクタ１１の接地用コンタクト７４及びピンコネクタ１２により囲まれ、信号用コンタクト７２、７３のシールド性を確保できる。
【００６９】
また、本実施例によれば、信号用コンタクト７２、７３、及び接地用コンタクト７４にケーブル２１のワイヤを直接半田付けさせることにより、伝送信号を高速化することができる。
【００７０】
【発明の効果】
上述の如く、本発明によれば、コネクタを構成する複数のコンタクトを一群のコンタクト毎にモジュールに分割することにより、モジュールを分割し、半田付けが容易な状態でコンタクトにワイヤなどを半田付けした後に、モジュールを組み付け、複数のコンタクトが配列されたコネクタを構成することにいより、コンタクトにワイヤを容易に半田付けすることが可能となり、コネクタの組立性を向上させることが可能となるなどの特長を有する。
【図面の簡単な説明】
【図１】本発明の一実施例の斜視図である。
【図２】ケーブルコネクタ１１の斜視図である。
【図３】ケーブルコネクタ１１の分解斜視図である。
【図４】コネクタ本体５１の斜視図である。
【図５】モジュール６１の斜視図である。
【図６】モジュール６１の斜視図である。
【図７】モジュール６１の断面図である。
【図８】信号用コンタクト７２の斜視図である。
【図９】接地用コンタクト７４の斜視図である。
【図１０】接地コンタクト７４の変形例の斜視図である。
【図１１】信号用コンタクト７２、７３及び接地コンタクト７４の半田付け時の動作を説明するための図である。
【図１２】モジュール６２の斜視図である。
【図１３】モジュール６２の斜視図である。
【図１４】モジュール６３の斜視図である。
【図１５】モジュール６３の斜視図である。
【図１６】ケース５２、カバー５３、係止レバー５４の組立斜視図である。
【図１７】ケース５２、カバー５３、係止レバー５４の組立斜視図である。
【図１８】ケース５２、カバー５３、係止レバー５４の分解斜視図である。
【図１９】ケース５２、カバー５３、係止レバー５４の分解斜視図である。
【図２０】ピンコネクタ１２の斜視図である。
【図２１】係止レバー５４と係止機構２３４との係合状態を示す図である。
【図２２】信号用コンタクト７２、７３のシールド状態を説明するための図である。
【符号の説明】
１  コネクタ装置
１１  ケーブルコネクタ、１２  ピンコネクタ
２１  ケーブル
３１  コネクタ本体、３２  信号ピン、３３  接地板、３４  係合部
４１  信号ピン挿入口、４２  スリット
５１  ケーブルコネクタ本体、５２  ケース、５３  カバー、５４係止レバー
６１、６２、６３  モジュール
７１  モジュール本体、７２、７３  信号用コンタクト
７４  接地用コンタクト
８１  コネクタ挿入部、８２  モジュール固定部
９１、９２  信号ピン挿入口、９３  スリット
９４、９５、９６  コンタクト挿入部
１０１  凸部、１０２  凹部
１２１  接触部、１２２  圧入部、１２３  半田付け部
１３１  突出部
１４１、１４２  折曲部
１５１  スリット装着部、１５２  圧入部、１５３  延出部
１６１  接触部、１６２  段部
１７１  折曲部
１８１  Ｕ字状スリット、１９１  穴部
２０１、２０２  信号線、２１１、２１２  ワイヤ
【図１】
2005032518.tif 000003
【図２】
2005032518.tif 000004
【図３】
2005032518.tif 000005
【図４】
2005032518.tif 000006
【図５】
2005032518.tif 000007
【図６】
2005032518.tif 000008
【図７】
2005032518.tif 000009
【図８】
2005032518.tif 000010
【図９】
2005032518.tif 000011
【図１０】
2005032518.tif 000012
【図１１】
2005032518.tif 000013
【図１２】
2005032518.tif 000014
【図１３】
2005032518.tif 000015
【図１４】
2005032518.tif 000016
【図１５】
2005032518.tif 000017
【図１６】
2005032518.tif 000018
【図１７】
2005032518.tif 000019
【図１８】
2005032518.tif 000020
【図１９】
2005032518.tif 000021
【図２０】
2005032518.tif 000022
【図２１】
2005032518.tif 000023
【図２２】
2005032518.tif 000024